(57)【特許請求の範囲】
【請求項１】
建築物の壁裏に取付けられて、水栓ボックスを固定するための取付部材であって、
前記水栓ボックスの前面開口が臨み得る孔部と、該水栓ボックスを係合し得る係合部と、その複数枚を重ね合わせて相互の係合により連結可能にするための板状の被係合部とを備え、
前記被係合部の板厚は、前記水栓ボックスの最前部に形成された鍔板の板厚と等しくなっていて、
前記水栓ボックスを係合させるための前記係合部は、取付部材どうしを係合させるための係合部を兼用していることを特徴とする水栓ボックスの取付部材。
【請求項２】
前記係合部は、本体板の周縁部に板厚方向に突出して形成されていると共に、前記被係合部は、本体板の周縁の枠状壁の一部に凹部を設けて形成されていることを特徴とする請求項１に記載の水栓ボックスの取付部材。
【請求項３】
請求項１に記載の取付部材と、自身の最前部に形成された鍔板が前記取付部材の係合部と係合されて、当該取付部材に取付けられる水栓ボックスとから成ることを特徴とする水栓ボックス装置。
【発明の詳細な説明】
【０００１】
【発明の属する技術分野】
本発明は、建築物の壁裏に取付けられる水栓ボックスを固定するための取付部材、及び水栓ボックス装置に関するものである。
【０００２】
【従来の技術】
最初に、本発明に係る図面である図１及び図７を参照にして、ユニットバスの概略構成、及びその施工法について簡単に説明する。このユニットバスＵは、住宅建築物の屋内のコンクリート面に多数本のジャッキ３１を介して防水パン３２が水平に支持固定されて、該防水パン３２の一側部に浴槽３３が設置され、該防水パン３２の全周囲に壁板３４が立設された構成である。また、浴槽３３に給水・給湯するための水栓類は、該浴槽３３の側方の壁板３４に取付けられ、この水栓類を収容する水栓ボックスＢは、該壁板３４の裏側に取付けられる。
【０００３】
また、施工に際しては、ユニットバスＵの組立てを終えた後に、給水・給湯のための管工事が行われるのが通常である。ここで、給水湯管は、ユニットバスＵの壁板３４と建物壁３５との間の隙間３６に配管され、この隙間３６は、通常１００mm程度の狭さである。そして、ユニットバスＵの施工は、給水湯管の管工事に先立って行われるために、壁板３４の裏側に、給水湯管の端部に接続された水栓を収納する水栓ボックスＢを取付けるには、該壁板３４の裏側に、水栓ボックスＢを取付けるための取付具（取付部材）を予め取付けておき、その壁板３４の立設後において、前記隙間３６に手を挿入して、壁板３４に取付けられている取付具に水栓ボックスＢを取付けている。
【０００４】
前記ユニットバスＵを構成する壁板３４の裏側に水栓ボックスＢを取付けるための取付部材の一つとして、特開昭６３−１４２１３４号公報に記載のものが知られている。しかしながら、壁板３４に対する水栓ボックスＢの取付位置によっては、前記防水パン３２、既設配管等の障害物が存在していて、ユニットバスＵの壁裏に取付けられた取付部材に水栓ボックスＢを取付ける際に、該ボックスＢの一部が前記障害物に当たって、前記取付部材に水栓ボックスが取付けられないことがあった。図示の例では、防水パン３２のフランジ３２ａにおける前記建物壁３５と平行となる部分が外方に大きく突出していて、該突出部３２ｂが水栓ボックスＢに当たるため、従来の取付部材では、水栓ボックスＢを壁板３４の裏側に取付けることができなかった。
【０００５】
【発明が解決しようとする課題】
本発明は、上記した不具合に基いて、建築物の壁裏に障害物が存在する場合においても、該障害物と干渉することなく水栓ボックスを壁裏に取付けることのできる取付部材、及び水栓ボックス装置の提供を課題としている。
【０００６】
【課題を解決するための手段】
この課題を解決するための請求項１の発明は、建築物の壁裏に取付けられて、水栓ボックスを固定するための取付部材であって、前記水栓ボックスの前面開口が臨み得る孔部と、該水栓ボックスを係合し得る係合部と、その複数枚を重ね合わせて相互の係合により連結可能にするための板状の被係合部とを備え、前記被係合部の板厚は、前記水栓ボックスの最前部に形成された鍔板の板厚と等しくなっていて、前記水栓ボックスを係合させるための前記係合部は、取付部材どうしを係合させるための係合部を兼用していることを特徴としている。
【０００７】
請求項１の発明に係る水栓ボックスの取付部材は、その複数枚を重ね合わせて相互の係合により連結可能な構成になっているので、建築物の壁裏における水栓ボックスの取付部位に障害物が存在する場合には、該障害物との干渉を回避できる寸法（厚さ）となるまで、複数枚の取付部材を重ね合わせて、ビス等の別体の連結部材を用いないで、所定枚数だけ重ね合わせられた取付部材を一体に連結できると共に、複数枚の取付部材の連結も即座に行えて、作業性が高められる。また、取付部材の板状の被係合部の板厚は、前記水栓ボックスの最前部に形成された鍔板の板厚と等しくなっていて、水栓ボックスを係合可能にするために取付部材に設けられた係合部は、取付部材どうしを相互に係合連結するための係合部を兼用しているので、取付部材自体の構造が簡単となり、しかも係合部が一種類であるため、水栓ボックスを係合させたり、取付部材どうしを係合させる際に誤りを生ずることもなく、壁板の立設後において、該壁板と建物壁との間の隙間に手を挿入して、最も上面側（手前側）の取付部材の係合部に水栓ボックスを係合させることにより、障害物を回避して、壁裏に水栓ボックスが取付けられる。
【０００８】
また、請求項２の発明は、請求項１の発明において、前記係合部は、本体板の周縁部に板厚方向に突出して形成されていると共に、前記被係合部は、本体板の周縁の枠状壁の一部に凹部を設けて形成され、重ね合わせられた複数枚の取付部材は、その周縁部において係合されるために、複数枚の取付部材の連結強度が高められる。更に、請求項３の発明は、請求項１の発明を、「請求項１に記載の取付部材と、自身の最前部に形成された鍔板が前記取付部材の係合部と係合されて、当該取付部材に取付けられる水栓ボックスとから成ることを特徴とする水栓ボックス装置」として把握したものであって、実質的には、請求項１の発明と同一である。
【０００９】
【発明の実施の形態】
以下、ユニットバスの壁裏に水栓ボックスを取付ける場合を例に挙げて、本発明を更に詳細に説明する。なお、以下の説明において、取付部材を一般的に示す場合には、符号「Ａ」を使用し、互いに重ね合わせられた複数枚の取付部材をそれぞれ特定する場合には、その一般符号「Ａ」に添字を付して、個々の取付部材を区別する。図１は、本発明に係る取付部材Ａを複数枚使用して壁裏に水栓ボックスＢが取付けられたユニットバスＵの断面図であり、図２は、本発明に係る複数枚の取付部材Ａ1,Ａ2 と、水栓ボックスＢと、継手プレートＰとの分解斜視図であり、図３は、本発明に係る取付部材Ａを表裏両面から見た斜視図であり、図４は、ユニットバスＵの浴室内側に取付けられる継手プレートＰと、水栓ボックスＢの取付部材Ａ1 との連結関係を示す斜視図であり、図５は、複数枚の取付部材Ａ1,Ａ2 を用いて壁板３４の裏側に水栓ボックスＢが取付けられた状態の斜視図であり、図６は、壁板３４の背面側に複数枚の取付部材Ａ1,Ａ2 が重ね合わせて取付けられた状態の背面図であり、図７は、図６のＸ−Ｘ線断面図であり、図８は、図６のＹ−Ｙ線断面図である。最初に、図３、図６ないし図８の各図を参照にして、本発明に係る水栓ボックスＢの取付部材Ａについて説明する。この取付部材Ａは、複数枚を重ね合わせて一体に連結される構造になっていて、各コーナー部が円弧状に形成された略正方形状の平板から成る本体板１の周縁部に全周に亘って枠状壁２が背面側に向けて設けられ、該本体板１の中央部に設けられた円形の孔部３の周縁部に環状壁４が同じく背面側に向けて設けられて、枠状壁２と環状壁４との間に凹部５が形成された構成である。枠状壁２と環状壁４とは、同一高さとなっているため、これらの各端面２ａ，４ａは、同一平面上に位置している。
【００１０】
また、前記枠状壁２の相対向する一組の各壁板部の外側には、それぞれ係合板６が一体に設けられて、その先端部は、前記枠状壁２の端面２ａよりも背面側に突出していて、当該先端部の内側に係合爪６ａが設けられている。前記係合板６は、外方に弾性変形可能である。また、枠状壁２の相対向する他の一組の壁板部の外側には、被係合部形成用の凹部７が設けられて、該凹部７が設けられることにより本体板１の一部が外周面に露出して、本体板１の当該露出部が被係合板部１０となっている。このため、枠状壁２を構成する各壁板部の中央部には、係合板６と被係合板部１０とが交互に設けられて、この係合板６と被係合板部１０とは、２つの取付部材Ａを９０°だけ向きを変えて（位相をずらして）重ね合わせた場合に、図９に示されるように、一方の取付部材Ａの係合板６の係合爪６ａと枠状壁２の端面２ａとの間に、他方の取付部材Ａの被係合板部１０が挿入されて、互いに係合し合う関係になっている。
【００１１】
また、枠状壁２と環状壁４との間に形成された凹部５には、正方形状をした前記本体板１の対角線方向に沿ってそれぞれリブ８が設けられ、各リブ８における本体板１のコーナー部に寄った部分には、それぞれ円筒体部９が設けられて、該円筒体部９には、ビス下孔９ａが貫通して設けられている。このため、本体板１の各コーナー部の内側の部分には、その背面側に向けてそれぞれ円筒体部９が設けられている。また、本体板１の各コーナー部の内側の部分には、前記リブ８を挟んで一対のビス挿通孔１１がそれぞれ設けられている。このビス挿通孔１１は、図８に示されるように、複数枚の取付部材Ａ1,Ａ2 を重ね合わせて互いに連結した場合において、最も下側の取付部材Ａ1 をユニットバスＵの壁板３４に固定するために当該ビス挿通孔１１に挿通されているビス１２の頭部１２ａが、その上に重ね合わせられている別の取付部材Ａ2 に当たらないように、枠状壁２及び環状壁４の各端面２ａ，４ａよりも相当に低い位置に設けられている。
【００１２】
また、ユニットバスＵの壁板３４に対して浴室内側から取付けられる継手プレートＰは、この部分から給湯管を浴室内に導く部材であって、その背面側に断面円弧状をした複数の舌片１３が設けられている。この継手プレートＰは、ユニットバスＵの壁板３４の裏側に取付部材Ａを介して固定された水栓ボックスＢに複数本のビス１４を介して固定される。取付部材Ａを構成する本体板１の中央部に設けられた円形の孔部３の内径は、継手プレートＰの複数の舌片１３を余裕をもって挿入可能な大きさに定められており、前記孔部３の内周面には、４個のビスガイド片１５が周方向に沿って等分割された位置に、その厚さ方向に沿った一部が本体板１の前面１ａから突出した状態となって設けられている。
【００１３】
前記ビスガイド片１５の内周面は、凹状のビスガイド部１５ａとなっていて、前記継手プレートＰを水栓ボックスＢに固定するためのビス１４は、前記ビスガイド部１５ａ内に配置されることにより、本体板１の孔部３の周方向に大きくずれないようにガイドされる。また、継手プレートＰの複数の舌片１３は、本体板１の孔部３に設けられた相隣接するビスガイド片１５の間に配置挿入されることにより、取付部材Ａに対して継手プレートＰが周方向にずれることなく、その位置が定められる（図６参照）。また、本体板１の孔部３の内周面に設けられた複数のビスガイド片１５の厚さ方向に沿った一部を、該本体板１の前面１ａから突出させてあるのは、２枚の取付部材Ａ1,Ａ2 を重ね合わせる際に、背面側に配置される一方の取付部材Ａ2 の各ビスガイド片１５を、手前側に配置される他方の取付部材Ａ1 の環状壁４の内側に嵌合可能にして、互いに重ね合わせられた複数枚の取付部材Ａ1,Ａ2 が、そのいずれかの辺の方向に沿ってずれないようにするためである。
【００１４】
更に、水栓ボックスＢは、その本体部１６の上端部の前面側に、前記取付部材Ａと同一形状の鍔板１７が垂直に設けられて、該鍔板１７の中央部に、給湯管を挿通するための前面開口（図示せず）が設けられている。また、鍔板１７の前面には、取付部材Ａの孔部３に嵌合可能な環状壁１８（図７及び図１１参照）が設けられている。また、図９及び図１０に示されるように、水栓ボックスＢの鍔板１７の板厚（ｔ2)は、取付部材Ａの被係合板部１０（本体板１）の板厚（ｔ1)と同一となっていて、水栓ボックスＢは、その鍔板１７を取付部材Ａの背面側に重ね合わせると、該鍔板１７の相対向する各辺の周縁部におけるリブ１９で挟まれた部分が、取付部材Ａの係合板６の係合爪６ａと、枠状壁２の端面２ａとの間に挿入されて、係合される構成になっている。
【００１５】
次に、上記取付部材Ａを使用して、ユニットバスＵの壁裏に水栓ボックスＢを取付ける場合について説明する。まず、図４、図７及び図１１の各図に示されるように、ユニットバスＵの壁板３４における水栓ボックスＢの取付部位に、前記継手プレートＰが隙間なく挿入可能な貫通孔２１を穿孔する。次に、壁板３４に穿孔された貫通孔２１と、取付部材Ａ1 の孔部３とがほぼ同心となるようにして、壁板３４の裏側に取付部材Ａ1 を当てがって、その本体板１に設けられた少なくとも２箇所のビス挿通孔１１にビス１２をそれぞれ挿通して、その先端部を前記壁板３４にねじ込むことにより、壁板３４の裏側に取付部材Ａ1 を固定する。
【００１６】
次に、水栓ボックスＢの取付部位に存在する障害物（実施例の場合には、防水パン３２の突出部３２ｂ）と、該水栓ボックスＢとが干渉しない寸法（厚さ）を見計らって、壁板３４に固定された取付部材Ａ1 に対して必要枚数の別の取付部材Ａ2 を一体に連結させる。即ち、図２に示されるように、別の取付部材Ａ2 は、既に壁板３４に固定される取付部材Ａ1 に対して９０°だけ向きが変えられており（位相がずらされており）、壁板３４に固定されている取付部材Ａ1 に対して別の取付部材Ａ2 を強く押し付けると、取付部材Ａ2 の枠状壁２の相対向する各壁板部に設けられた被係合板部１０によって、図９で２点鎖線で示されるように、壁板３４に固定されている取付部材Ａ1 の係合板６が外方に弾性変形され、該被係合板部１０の通過後において、外方に弾性変形されていた係合板６は、原形状に復元して、取付部材Ａ2 の各被係合板部１０は、取付部材Ａ1 の係合板６の係合爪６ａと、その枠状壁２の端面２ａとの間に挿入されて、取付部材Ａ1 の係合板６と、取付部材Ａ2 の被係合板部１０とが互いに係合する。また、取付部材Ａ2 の本体板１に設けられた各ビスガイド片１５の突出部が、取付部材Ａ1 の環状壁４の内周側に嵌合される。
【００１７】
これにより、取付部材Ａ2 は、ビス１２を介して壁板３４に固定されている取付部材Ａ1 に対して一体に係合連結されて、壁板３４の裏側に固定された各取付部材Ａ1,Ａ2 の総厚は、１枚の取付部材Ａの厚さ（Ｔ）の２倍である（２Ｔ）となる。なお、実施例は、２枚の取付部材Ａを使用することにより、水栓ボックスＢと防水パン３２の突出部３２ｂとの干渉が避けられる例であるが、障害物との関係において、更に取付部材Ａを係合連結させることも可能である。
【００１８】
そして、壁板３４の裏側に２枚の取付部材Ａ1,Ａ2 を重ね合わせて固定した状態で、該壁板３４を立設して、ユニットバスＵを組み付ける。立設された壁板３４と、建物壁３５との間には、上記した隙間３６が形成される。次に、図１１に示されるように、前記隙間３６に手を挿入して、水栓ボックスＢの鍔板１７を取付部材Ａ2 に対して押し付けると、該鍔板１７によって取付部材Ａ2 の各係合板６が外方に弾性変形されて、その各係合爪６ａの間を鍔板１７が通過した後に、各係合板６は、原形状に復元される。
【００１９】
このため、図８に示されるように、水栓ボックスＢの前面側に設けられた環状壁１８が、手前側の取付部材Ａ2 の孔部３に嵌合されると共に、図１０に示されるように、正方形状の鍔板１７の相対向する各辺の周縁部における相隣接するリブ１９で挟まれた部分が、取付部材Ａ2 の係合板６の係合爪６ａと、その枠状壁２の端面２ａとの間に挿入されて、係合される。これにより、壁板３４に固定された手前側の取付部材Ａ2 に水栓ボックスＢが係合固定されて、水栓ボックスＢの前面開口（図示せず）が取付部材Ａ2 の孔部３に臨み、水栓ボックスＢから引き出された給湯管が各取付部材Ａ1,Ａ2 の孔部３に挿通可能となる。なお、必要に応じて、図８に示されるように、水栓ボックスＢの鍔板１７の各コーナー部に設けられたビス挿通孔２２にビス２３を挿通して、取付部材Ａ2 の円筒体部９のビス下孔９ａに前記ビス２３をねじ込むことにより、取付部材Ａ2 に対する水栓ボックスＢの固定を確実にできる。なお、図７及び図１１における２４は、継手プレートＰと取付部材Ａ1 との間に介装されるパッキンを示し、図４における２５は、継手プレートＰから浴室内に引き出される給湯管を挿通するために、該継手プレートＰに設けられたガイドパイプを示す。
【００２０】
最後に、ユニットバスＵの浴室内から、継手プレートＰの各舌片１３が、取付部材Ａ1 に設けられた相隣接するビスガイド片１５の間に挿入配置されるようにして、壁板３４に継手プレートＰを当接させて、そのビス挿通孔２６に挿通されたビス１４の先端部を水栓ボックスＢの環状壁１８の内側に埋設されているナット（図示せず）に螺合させると、図７に示されるように、複数本のビス１４を介して水栓ボックスＢに対して継手プレートＰが固定される。なお、上記施工例では、予め壁板３４に２枚の取付部材Ａ1,Ａ2 を重ね合わせて取付けておいて、この壁板３４を立設させた後に、背面側の取付部材Ａ2 に水栓ボックスＢを係合固定させているが、壁板３４には、１枚のみの取付部材Ａを取付けておき、壁板３４の立設後において、周辺の障害物との関係を見計らって、必要枚数の取付部材Ａを、壁板３４に取付けられている取付部材Ａに係合連結させてもよい。
【００２１】
また、上記実施例では、壁板３４に取付部材Ａ1 を固定するのに、そのビス挿通孔１１に挿通したビス１２を壁板３４にねじ込んでいるが、図１２に示されるように、接着剤２７を用いて壁板３４に取付部材Ａ1 を接着固定することも可能である。この場合には、取付部材Ａ1 の本体板１の前面１ａに接着剤２７を塗布しておいて、壁板３４の裏面に押し付けるのであるが、その際に、余剰の接着剤２７の一部は、取付部材Ａ1 の本体板１に設けられたビス挿通孔１１、或いはビス下孔９ａの内部に入り込むことがある。しかし、ビス挿通孔１１は、環状壁４の端面４ａよりも遙に低い位置に設けられ、しかもその数は、ビス下孔９ａよりも多いので、余剰接着剤２７の大部分は、ビス挿通孔１１に流入して、その形成端から枠状壁２と環状壁４との間の凹部５に流れ出るために、その背面側に別の取付部材Ａ2 を重ね合わせる際の支障にならない。
【００２２】
また、上記実施例では、取付部材Ａの被係合板部１０の板厚（ｔ1)と、水栓ボックスＢの鍔板１７の板厚（ｔ2)とを等しくして、取付部材Ａに設けられた係合板６によって、取付部材Ａどうしの係合連結を可能にすると同時に、水栓ボックスＢの係合固定も可能にしてあるので、取付部材Ａに設けられる係合部が一種類で済み、取付部材Ａ自体の構造が簡単になると共に、取付部材Ａどうしを係合連結させたり、水栓ボックスＢを係合固定する際の誤りがなくなる利点がある。しかし、取付部材Ａどうしを係合連結するための係合部と、取付部材Ａに対して水栓ボックスＢを係合固定するための係合部とを個別に設けることも可能である。また、取付部材Ａどうしの連結は、ビス等の別体の連結部材を使用することも可能であり、更に、複数枚の取付部材Ａを重ね合わせて壁板３４に固定する場合には、複数枚の取付部材Ａを貫通する１本のビスを壁板３４にねじ込んでもよい。
【００２３】
なお、上記施工例は、ユニットバスの壁裏において、本発明に係る取付部材を使用することにより、当該壁裏に存在する障害物との干渉を避けて、壁裏に水栓ボックスを取付ける例であるが、本発明に係る取付部材は、建築物の一般の壁裏に水栓ボックスを取付ける場合において、当該壁裏に存在する障害物を避けて、水栓ボックスを取付ける場合においても、勿論使用可能である。
【００２４】
【発明の効果】
本発明に係る水栓ボックスの取付部材は、複数枚を重ね合わせて相互の係合により連結可能にするための板状の被係合部の板厚が、水栓ボックスの最前部に形成された鍔板の板厚と等しくなっていて、水栓ボックスを係合可能にするために取付部材に設けられた係合部は、取付部材どうしを相互に係合連結するための係合部を兼用しているので、取付部材自体の構造が簡単となり、しかも係合部が一種類であるため、水栓ボックスを係合させたり、取付部材どうしを係合させる際に誤りを生ずることもなく、その複数枚を重ね合わせて一体に連結することにより、壁板の立設後において、該壁板と建物壁との間の隙間に手を挿入して、最も上面側（手前側）の取付部材の係合部に水栓ボックスを係合させることにより、障害物を回避して、壁裏に水栓ボックスが取付けられる。
【図面の簡単な説明】
【図１】  本発明に係る取付部材Ａを複数枚使用して壁裏に水栓ボックスＢが取付けられたユニットバスＵの断面図である。
【図２】  本発明に係る複数枚の取付部材Ａ1,Ａ2 と、水栓ボックスＢと、継手プレートＰとの分解斜視図である。
【図３】  本発明に係る取付部材Ａを表裏両面から見た斜視図である。
【図４】  ユニットバスＵの浴室内側に取付けられる継手プレートＰと、水栓ボックスＢの取付部材Ａ1 との連結関係を示す斜視図である。
【図５】  複数枚の取付部材Ａ1,Ａ2 を用いて壁板３４の裏側に水栓ボックスＢが取付けられた状態の斜視図である。
【図６】  壁板３４の背面側に複数枚の取付部材Ａ1,Ａ2 が重ね合わせて取付けられた状態の背面図である。
【図７】  図６のＸ−Ｘ線断面図である。
【図８】  図６のＹ−Ｙ線断面図である。
【図９】  複数枚の取付部材Ａ1,Ａ2 どうしの係合連結部の拡大断面図である。
【図１０】  取付部材Ａ2 と水栓ボックスＢとの係合固定部の拡大断面図である。
【図１１】  本発明に係る取付部材Ａ1,Ａ2 を使用して、ユニットバスＵの壁裏に水栓ボックスＢを固定する途中の状態を示す断面図である。
【図１２】  接着剤２７を用いて壁板３４の裏側に取付部材Ａ1 が固定された状態の断面図である。
【符号の説明】
Ａ：取付部材
Ｂ：水栓ボックス
Ｕ：ユニットバス
３：取付部材の孔部
６：取付部材の係合板
６ａ：係合爪
１０：取付部材の被係合板部
【図１】
0003652490.tif 000002
【図２】
0003652490.tif 000003
【図３】
0003652490.tif 000004
【図４】
0003652490.tif 000005
【図５】
0003652490.tif 000006
【図６】
0003652490.tif 000007
【図７】
0003652490.tif 000008
【図８】
0003652490.tif 000009
【図９】
0003652490.tif 000010
【図１０】
0003652490.tif 000011
【図１１】
0003652490.tif 000012
【図１２】
0003652490.tif 000013